(57)【特許請求の範囲】
【請求項１】
相手先装置の指定を受け付ける相手先指定手段と、
ファクシミリ通信の開始を要求する開始要求を前記相手先装置へ送信する要求手段と、
前記相手先指定手段により指定を受け付けた前記相手先装置に対して送信すべき画像データを取得する画像データ取得手段と、
前記要求手段により送信した前記開始要求に対して、前記相手先装置のビジー状態に基づく第１種エラーを示すエラー識別情報を受信した場合、前記開始要求を前記相手先装置へ再送信する再要求手段と、
前記再要求手段により送信した前記開始要求に基づいて前記相手先装置との間でファクシミリ通信を開始した場合、前記相手先装置へ画像データを送信する第１送信手段と、
前記要求手段により送信した前記開始要求に対して、前記相手先装置から前記相手先装置のビジー状態に基づかない第２種エラーを示すエラー識別情報を受信した場合、当該相手先装置について前記第２種エラー状態であることを示す状態情報を、状態記憶部に記憶させる状態情報記憶手段と、
前記相手先指定手段により指定を受け付けた前記相手先装置について、前記第２種エラー状態にあることを示す前記状態情報が前記状態記憶部に記憶されているかを判断する状態判断手段と、
前記状態判断手段により、前記相手先装置について前記第２種エラー状態であることを示す前記状態情報が前記状態記憶部に記憶されていると判断される場合、前記画像データ取得手段により取得した画像データの送信を実行せず、前記相手先装置へ送信すべき画像データをポーリング送信対象の画像データとして、記憶部に記憶させる第１記憶制御手段と、
前記ポーリング送信対象の画像データを要求するポーリング送信要求を前記相手先装置から受信した場合、前記記憶部に記憶させた前記ポーリング送信対象の画像データを前記相手先装置へ送信する第２送信手段とを備える、ファクシミリ装置。
【請求項２】
前記第２送信手段により前記相手先装置へ前記ポーリング送信対象の画像データを送信する場合、当該相手先装置が第２種エラー状態であることを示す状態情報を、前記状態記憶部から削除する状態情報削除手段を備える、請求項１記載のファクシミリ装置。
【請求項３】
前記第１記憶制御手段は、
前記相手先装置から前記第２種エラーを示すエラー識別情報を受信し、且つパスワードを受信した場合、当該パスワードと前記ポーリング送信対象の画像データとを関連付けて前記記憶部に記憶させ、
前記相手先指定手段により指定を受け付けた前記相手先装置について前記第２種エラー状態であることを示す前記状態情報が記憶されていると判断され、且つ、当該相手先装置から送られてきたパスワードに関連付けられた前記ポーリング送信対象の画像データが前記記憶部に記憶されている場合、前記画像データ取得手段により取得した画像データを、ポーリング送信対象の画像データとして、当該パスワードに関連付けて前記記憶部に記憶させるものであり、
前記第２送信手段は、
前記相手先装置から前記ポーリング送信要求を受信し、且つ前記パスワードを受信した場合、当該パスワードに関連付けられている前記ポーリング送信対象の画像データを前記相手先装置へ送信する、請求項１または２に記載のファクシミリ装置。
【請求項４】
ＩＰネットワークを介したファクシミリ通信を制御する第１通信制御手段と、
公衆回線網を介したファクシミリ通信を制御する第２通信制御手段と、
ファクシミリ通信の開始を要求する開始要求を相手先装置へ送信する要求手段と、
前記要求手段により送信した前記開始要求に対して、前記相手先装置のビジー状態に基づく第１種エラーを示すエラー識別情報を受信した場合、前記開始要求を前記相手先装置へ再送信する再要求手段と、
前記再要求手段により送信した前記開始要求に基づいて前記相手先装置との間でファクシミリ通信を開始した場合、前記相手先装置へ画像データを送信する第１送信手段と、
前記要求手段により送信した前記開始要求に対して、前記相手先装置のビジー状態に基づかない第２種エラーを示すエラー識別情報を受信した場合、前記相手先装置へ送信すべき画像データをポーリング送信対象の画像データとして、記憶部に記憶させる第１記憶制御手段と、
前記ポーリング送信対象の画像データを要求するポーリング送信要求を前記相手先装置から受信した場合、前記記憶部に記憶させた前記ポーリング送信対象の画像データを前記相手先装置へ送信する第２送信手段とを備え、
前記要求手段は、
前記第１通信制御手段が制御するファクシミリ通信の開始要求を前記相手先装置へ送信するものであり、
前記第２送信手段は、
前記第２通信制御手段が制御するファクシミリ通信により、前記相手先装置へ前記ポーリング送信対象の画像データを送信する、ファクシミリ装置。
【請求項５】
ファクシミリ通信の開始を要求する開始要求を相手先装置へ送信する要求手段と、
前記要求手段により送信した前記開始要求に対して、前記相手先装置のビジー状態に基づく第１種エラーを示すエラー識別情報を受信した場合、前記開始要求を前記相手先装置へ再送信する再要求手段と、
前記再要求手段により送信した前記開始要求に基づいて前記相手先装置との間でファクシミリ通信を開始した場合、前記相手先装置へ画像データを送信する第１送信手段と、
前記要求手段により送信した前記開始要求に対して、前記相手先装置のビジー状態に基づかない第２種エラーを示すエラー識別情報を受信した場合、前記相手先装置へ送信すべき画像データをポーリング送信対象の画像データとして、記憶部に記憶させる第１記憶制御手段と、
前記ポーリング送信対象の画像データを要求するポーリング送信要求を前記相手先装置から受信した場合、前記記憶部に記憶させた前記ポーリング送信対象の画像データを前記相手先装置へ送信する第２送信手段と、
相手先装置からファクシミリ通信の開始要求を受信する要求受信手段と、
前記要求受信手段により前記ファクシミリ通信の開始要求を受信した場合であって、自装置においてエラーが発生している場合、当該エラーの種類を示すエラー識別情報を、前記相手先装置へ送信するエラー送信手段と、
自装置において発生しているエラーが解除された場合、前記エラー送信手段による前記エラー識別情報の送信先である前記相手先装置へ、ポーリング送信要求を送信するポーリング要求手段と、
前記ポーリング要求手段により送信した前記ポーリング送信要求に応答して、前記相手先装置から送られてくる画像データを受信するポーリング受信手段と、
前記要求受信手段により前記ファクシミリ通信の開始要求を受信した場合であって、自装置においてエラーが発生している場合、当該ファクシミリ通信の開始要求に対応する画像データをポーリング受信するためのパスワードを生成する生成手段と、
前記生成手段により生成した前記パスワードを、前記エラー送信手段による前記エラー識別情報の送信先である前記相手先装置へ送信するパスワード送信手段と、
前記生成手段により生成されたパスワードを、前記エラー送信手段による前記エラー識別情報の送信先である前記相手先装置と対応付けて、パスワード記憶部に記憶させるパスワード記憶手段とを備え、
前記ポーリング要求手段は、前記エラー送信手段による前記エラー識別情報の送信先である前記相手先装置へ前記ポーリング送信要求を送信し、且つ、当該相手先装置と対応付けて前記パスワード記憶部に記憶されている前記パスワードを送信する、ファクシミリ装置。
【請求項６】
前記相手先装置から能力情報を受信した場合、前記能力情報に基づいて前記相手先装置がポーリング送信機能を有するかを判断する能力判断手段と、
前記能力判断手段により前記相手先装置が前記ポーリング送信機能を有さないと判断される場合であって、自装置において発生しているエラーが解除された場合、当該エラーの解除を示すエラー解除画像データを、前記相手先装置へ送信するエラー解除通知手段とを備える、請求項５に記載のファクシミリ装置。
【請求項７】
ファクシミリ通信の開始を要求する開始要求を相手先装置へ送信する要求手段と、
前記要求手段により送信した前記開始要求に対して、前記相手先装置のビジー状態に基づく第１種エラーを示すエラー識別情報を受信した場合、前記開始要求を前記相手先装置へ再送信する再要求手段と、
前記再要求手段により送信した前記開始要求に基づいて前記相手先装置との間でファクシミリ通信を開始した場合、前記相手先装置へ画像データを送信する第１送信手段と、
前記要求手段により送信した前記開始要求に対して、前記相手先装置のビジー状態に基づかない第２種エラーを示すエラー識別情報を受信した場合、前記相手先装置へ送信すべき画像データをポーリング送信対象の画像データとして、記憶部に記憶させる第１記憶制御手段と、
前記ポーリング送信対象の画像データを要求するポーリング送信要求を前記相手先装置から受信した場合、前記記憶部に記憶させた前記ポーリング送信対象の画像データを前記相手先装置へ送信する第２送信手段と、
相手先装置からファクシミリ通信の開始要求を受信する要求受信手段と、
前記要求受信手段により前記ファクシミリ通信の開始要求を受信した場合であって、自装置においてエラーが発生している場合、当該エラーの種類を示すエラー識別情報を、前記相手先装置へ送信するエラー送信手段と、
自装置において発生しているエラーが解除された場合、前記エラー送信手段による前記エラー識別情報の送信先である前記相手先装置へ、ポーリング送信要求を送信するポーリング要求手段と、
前記ポーリング要求手段により送信した前記ポーリング送信要求に応答して、前記相手先装置から送られてくる画像データを受信するポーリング受信手段と、
ＩＰネットワークを介したファクシミリ通信を制御する第１通信制御手段と、
公衆回線網を介したファクシミリ通信を制御する第２通信制御手段と、
前記要求受信手段により前記ＩＰネットワークを介したファクシミリ通信の開始要求を受信した場合であって、自装置においてエラーが発生している場合、前記エラー送信手段により前記エラー識別情報を前記相手先装置へ送信することを条件として、当該相手先装置との間の通信を切断する切断手段とを備え、
前記ポーリング要求手段は、
前記第２通信制御手段が制御するファクシミリ通信により、前記ポーリング送信要求を送信する、ファクシミリ装置。
【請求項８】
前記第１記憶制御手段は、
前記相手先装置から前記第２種エラーを示すエラー識別情報を受信し、且つパスワードを受信した場合、当該パスワードと前記ポーリング送信対象の画像データとを関連付けて前記記憶部に記憶させ、
前記第２送信手段は、
前記相手先装置から前記ポーリング送信要求を受信し、且つ前記記憶部に記憶させた前記ポーリング送信対象の画像データに関連付けられた前記パスワードを受信した場合、当該パスワードに関連付けられた前記ポーリング送信対象の画像データを前記相手先装置へ送信する、請求項１から７のいずれかに記載のファクシミリ装置。
【請求項９】
前記相手先装置から前記エラー識別情報を受信し、且つ前記相手先装置の機能を示す機能情報を受信した場合、前記機能情報に基づいて、前記相手先装置がポーリング受信機能を有するかを判断する機能判断手段を備え、
前記再要求手段は、
前記機能判断手段により、前記相手先装置がポーリング受信機能を有さないと判断される場合、前記開始要求を前記相手先装置へ送信する、請求項１から８のいずれかに記載のファクシミリ装置。
【請求項１０】
ネットワークを介したファクシミリ通信をする通信制御部と、原稿の画像を読み取るスキャナと、ＣＰＵと、記憶部と、を備えたファクシミリ装置において、
前記ＣＰＵは、
前記通信制御部を介して、ファクシミリ通信の開始を要求する開始要求を相手先装置へ送信する要求処理と、
前記要求処理後、前記相手先装置から前記相手先装置のステータス情報を、前記通信制御部を介して受信するステータス情報受信処理と、
前記ステータス情報受信処理で受信したステータス情報が、前記相手先装置のビジー状態に基づく第１種エラーを示すエラー識別情報である場合、前記開始要求を前記通信制御部を介して前記相手先装置へ再送信する再要求処理と、
前記再要求手段により送信した前記開始要求に基づいて前記相手先装置との間でファクシミリ通信を開始した場合、前記通信制御部を介して前記相手先装置へ画像データを送信する第１送信処理と、
前記ステータス情報受信処理で受信したステータス情報が、前記相手先装置のビジー状態に基づかない第２種エラーを示すエラー識別情報である場合、前記スキャナを用いて前記原稿を読み取り、読み取った画像データと前記第２種エラーを示すエラー識別情報とを関連付けて前記記憶部に記憶させる読取記憶処理と、
前記通信制御部を介して、前記相手先装置からのポーリング送信要求を受信するポーリング送信要求受信処理と、
前記ポーリング送信要求受信処理にて前記ポーリング送信要求を受信した際、前記読取記憶処理によって前記画像データと前記第２種エラーを示すエラー識別情報とが前記記憶部に存在する場合において、当該画像データを前記通信制御部を介して前記相手先装置に送信する第２送信処理と、を実行するファクシミリ装置。
【発明の詳細な説明】
【技術分野】
【０００１】
本発明は、ファクシミリ装置に関する。
【背景技術】
【０００２】
特許文献１には、ＦＡＸ受信中に受信側装置においてエラーが発生した場合、受信側装置は、エラーの解除後、送信側装置に対してポーリング送信要求を送信し、送信側装置は、ポーリング送信要求に基づいてジョブを特定し、受信側装置へポーリング送信を行うファクシミリ装置が記載されている。特許文献１によれば、受信側装置のエラーが解除されるまで送信側装置が無駄なリダイヤル処理を繰り返すことを抑制することができる。
【先行技術文献】
【特許文献】
【０００３】
【特許文献１】特開２００８−１５４０９２号公報
【発明の概要】
【発明が解決しようとする課題】
【０００４】
一般に、受信側装置が他の機器と通信中であるために発生するエラー、すなわち、ビジー状態に基づくエラーが発生している場合、その通信が終了した時点で当該エラーは解除される。これに対し、例えば、メモリフルなど、受信側装置においてビジー状態以外のエラーが発生している場合、ユーザが受信側装置の近くにいない場合が多く、しばらくの間エラーが解除されない可能性が高い。
【０００５】
しかしながら、特許文献１に記載のファクシミリ装置は、エラーの種類に関わらず、受信側装置においてエラーが解除された場合、受信側装置から送信側装置へポーリング送信要求が送信される。すなわち、送信側装置においては、何らかのエラー状態にある受信側装置との間でＦＡＸ通信を行おうとする毎に、ＦＡＸデータが送信側装置のメモリに蓄積されてゆく。そのため、送信エラーの回数が多くなると、送信側装置のメモリが圧迫される虞がある。その場合、ユーザはメモリから不要なデータを削除するなどの対処をしなければならず、不便である。
【０００６】
また、特許文献１に記載の技術によれば、受信側の装置にとっては、自装置においてエラーが発生する毎に、エラー中に受信できなかった画像データをポーリング受信することになるので、その度に通信費が課金され、受信側装置のユーザにとっては利便性が低い。
【０００７】
本発明は、上述した問題点を解決するためになされたものであり、ＦＡＸ通信時に受信側の装置でエラーが発生している場合であっても、そのエラーの種類に応じた制御をすることで、ユーザの利便性を向上させることが可能なファクシミリ装置を提供することを目的とする。
【課題を解決するための手段】
【０００８】
この目的を達成するために、本発明のファクシミリ装置は、相手先装置の指定を受け付ける相手先指定手段と、ファクシミリ通信の開始を要求する開始要求を前記相手先装置へ送信する要求手段と、前記相手先指定手段により指定を受け付けた前記相手先装置に対して送信すべき画像データを取得する画像データ取得手段と、前記要求手段により送信した前記開始要求に対して、前記相手先装置のビジー状態に基づく第１種エラーを示すエラー識別情報を受信した場合、前記開始要求を前記相手先装置へ再送信する再要求手段と、前記再要求手段により送信した前記開始要求に基づいて前記相手先装置との間でファクシミリ通信を開始した場合、前記相手先装置へ画像データを送信する第１送信手段と、前記要求手段により送信した前記開始要求に対して、前記相手先装置から前記相手先装置のビジー状態に基づかない第２種エラーを示すエラー識別情報を受信した場合、当該相手先装置について前記第２種エラー状態であることを示す状態情報を、状態記憶部に記憶させる状態情報記憶手段と、前記相手先指定手段により指定を受け付けた前記相手先装置について、前記第２種エラー状態にあることを示す前記状態情報が前記状態記憶部に記憶されているかを判断する状態判断手段と、前記状態判断手段により、前記相手先装置について前記第２種エラー状態であることを示す前記状態情報が前記状態記憶部に記憶されていると判断される場合、前記画像データ取得手段により取得した画像データの送信を実行せず、前記相手先装置へ送信すべき画像データをポーリング送信対象の画像データとして、記憶部に記憶させる第１記憶制御手段と、前記ポーリング送信対象の画像データを要求するポーリング送信要求を前記相手先装置から受信した場合、前記記憶部に記憶させた前記ポーリング送信対象の画像データを前記相手先装置へ送信する第２送信手段とを備える。
または、本発明のファクシミリ装置は、ＩＰネットワークを介したファクシミリ通信を制御する第１通信制御手段と、公衆回線網を介したファクシミリ通信を制御する第２通信制御手段と、ファクシミリ通信の開始を要求する開始要求を相手先装置へ送信する要求手段と、前記要求手段により送信した前記開始要求に対して、前記相手先装置のビジー状態に基づく第１種エラーを示すエラー識別情報を受信した場合、前記開始要求を前記相手先装置へ再送信する再要求手段と、前記再要求手段により送信した前記開始要求に基づいて前記相手先装置との間でファクシミリ通信を開始した場合、前記相手先装置へ画像データを送信する第１送信手段と、前記要求手段により送信した前記開始要求に対して、前記相手先装置のビジー状態に基づかない第２種エラーを示すエラー識別情報を受信した場合、前記相手先装置へ送信すべき画像データをポーリング送信対象の画像データとして、記憶部に記憶させる第１記憶制御手段と、前記ポーリング送信対象の画像データを要求するポーリング送信要求を前記相手先装置から受信した場合、前記記憶部に記憶させた前記ポーリング送信対象の画像データを前記相手先装置へ送信する第２送信手段とを備え、前記要求手段は、前記第１通信制御手段が制御するファクシミリ通信の開始要求を前記相手先装置へ送信するものであり、前記第２送信手段は、前記第２通信制御手段が制御するファクシミリ通信により、前記相手先装置へ前記ポーリング送信対象の画像データを送信する。
または、本発明のファクシミリ装置は、ファクシミリ通信の開始を要求する開始要求を相手先装置へ送信する要求手段と、前記要求手段により送信した前記開始要求に対して、前記相手先装置のビジー状態に基づく第１種エラーを示すエラー識別情報を受信した場合、前記開始要求を前記相手先装置へ再送信する再要求手段と、前記再要求手段により送信した前記開始要求に基づいて前記相手先装置との間でファクシミリ通信を開始した場合、前記相手先装置へ画像データを送信する第１送信手段と、前記要求手段により送信した前記開始要求に対して、前記相手先装置のビジー状態に基づかない第２種エラーを示すエラー識別情報を受信した場合、前記相手先装置へ送信すべき画像データをポーリング送信対象の画像データとして、記憶部に記憶させる第１記憶制御手段と、前記ポーリング送信対象の画像データを要求するポーリング送信要求を前記相手先装置から受信した場合、前記記憶部に記憶させた前記ポーリング送信対象の画像データを前記相手先装置へ送信する第２送信手段と、相手先装置からファクシミリ通信の開始要求を受信する要求受信手段と、前記要求受信手段により前記ファクシミリ通信の開始要求を受信した場合であって、自装置においてエラーが発生している場合、当該エラーの種類を示すエラー識別情報を、前記相手先装置へ送信するエラー送信手段と、自装置において発生しているエラーが解除された場合、前記エラー送信手段による前記エラー識別情報の送信先である前記相手先装置へ、ポーリング送信要求を送信するポーリング要求手段と、前記ポーリング要求手段により送信した前記ポーリング送信要求に応答して、前記相手先装置から送られてくる画像データを受信するポーリング受信手段と、前記要求受信手段により前記ファクシミリ通信の開始要求を受信した場合であって、自装置においてエラーが発生している場合、当該ファクシミリ通信の開始要求に対応する画像データをポーリング受信するためのパスワードを生成する生成手段と、前記生成手段により生成した前記パスワードを、前記エラー送信手段による前記エラー識別情報の送信先である前記相手先装置へ送信するパスワード送信手段と、前記生成手段により生成されたパスワードを、前記エラー送信手段による前記エラー識別情報の送信先である前記相手先装置と対応付けて、パスワード記憶部に記憶させるパスワード記憶手段とを備え、前記ポーリング要求手段は、前記エラー送信手段による前記エラー識別情報の送信先である前記相手先装置へ前記ポーリング送信要求を送信し、且つ、当該相手先装置と対応付けて前記パスワード記憶部に記憶されている前記パスワードを送信する。
または、本発明のファクシミリ装置は、ファクシミリ通信の開始を要求する開始要求を相手先装置へ送信する要求手段と、前記要求手段により送信した前記開始要求に対して、前記相手先装置のビジー状態に基づく第１種エラーを示すエラー識別情報を受信した場合、前記開始要求を前記相手先装置へ再送信する再要求手段と、前記再要求手段により送信した前記開始要求に基づいて前記相手先装置との間でファクシミリ通信を開始した場合、前記相手先装置へ画像データを送信する第１送信手段と、前記要求手段により送信した前記開始要求に対して、前記相手先装置のビジー状態に基づかない第２種エラーを示すエラー識別情報を受信した場合、前記相手先装置へ送信すべき画像データをポーリング送信対象の画像データとして、記憶部に記憶させる第１記憶制御手段と、前記ポーリング送信対象の画像データを要求するポーリング送信要求を前記相手先装置から受信した場合、前記記憶部に記憶させた前記ポーリング送信対象の画像データを前記相手先装置へ送信する第２送信手段と、相手先装置からファクシミリ通信の開始要求を受信する要求受信手段と、前記要求受信手段により前記ファクシミリ通信の開始要求を受信した場合であって、自装置においてエラーが発生している場合、当該エラーの種類を示すエラー識別情報を、前記相手先装置へ送信するエラー送信手段と、自装置において発生しているエラーが解除された場合、前記エラー送信手段による前記エラー識別情報の送信先である前記相手先装置へ、ポーリング送信要求を送信するポーリング要求手段と、前記ポーリング要求手段により送信した前記ポーリング送信要求に応答して、前記相手先装置から送られてくる画像データを受信するポーリング受信手段と、ＩＰネットワークを介したファクシミリ通信を制御する第１通信制御手段と、公衆回線網を介したファクシミリ通信を制御する第２通信制御手段と、前記要求受信手段により前記ＩＰネットワークを介したファクシミリ通信の開始要求を受信した場合であって、自装置においてエラーが発生している場合、前記エラー送信手段により前記エラー識別情報を前記相手先装置へ送信することを条件として、当該相手先装置との間の通信を切断する切断手段とを備え、前記ポーリング要求手段は、前記第２通信制御手段が制御するファクシミリ通信により、前記ポーリング送信要求を送信する。
または、本発明のファクシミリ装置は、ネットワークを介したファクシミリ通信をする通信制御部と、原稿の画像を読み取るスキャナと、ＣＰＵと、記憶部と、を備えたものであって、前記ＣＰＵは、前記通信制御部を介して、ファクシミリ通信の開始を要求する開始要求を相手先装置へ送信する要求処理と、前記要求処理後、前記相手先装置から前記相手先装置のステータス情報を、前記通信制御部を介して受信するステータス情報受信処理と、前記ステータス情報受信処理で受信したステータス情報が、前記相手先装置のビジー状態に基づく第１種エラーを示すエラー識別情報である場合、前記開始要求を前記通信制御部を介して前記相手先装置へ再送信する再要求処理と、前記再要求手段により送信した前記開始要求に基づいて前記相手先装置との間でファクシミリ通信を開始した場合、前記通信制御部を介して前記相手先装置へ画像データを送信する第１送信処理と、前記ステータス情報受信処理で受信したステータス情報が、前記相手先装置のビジー状態に基づかない第２種エラーを示すエラー識別情報である場合、前記スキャナを用いて前記原稿を読み取り、読み取った画像データと前記第２種エラーを示すエラー識別情報とを関連付けて前記記憶部に記憶させる読取記憶処理と、前記通信制御部を介して、前記相手先装置からのポーリング送信要求を受信するポーリング送信要求受信処理と、前記ポーリング送信要求受信処理にて前記ポーリング送信要求を受信した際、前記読取記憶処理によって前記画像データと前記第２種エラーを示すエラー識別情報とが前記記憶部に存在する場合において、当該画像データを前記通信制御部を介して前記相手先装置に送信する第２送信処理とを実行する。
【０００９】
なお、本発明は、ファクシミリ通信方法、ファクシミリ装置を制御する制御装置、通信プログラム、該通信プログラムを記録する記録媒体等の種々の態様で実現可能である。
【発明の効果】
【００１０】
請求項１記載のファクシミリ装置によれば、相手先装置のビジー状態に基づく第１種エラーを示すエラー識別情報を受信した場合、ファクシミリ通信の開始を要求する開始要求が相手先装置へ再送信される。そして、その開始要求に基づいて相手先装置との間でファクシミリ通信が開始された場合に相手先装置へ画像データが送信される。よって、相手先装置に課金される通信費の負担を抑制しつつ、画像データを相手先装置へ送信できるので、相手先装置のユーザにとって利便性が高いという効果がある。また、相手先装置のビジー状態に基づかない第２種エラーを示すエラー識別情報を受信した場合に、相手先装置へ送信すべき画像データをポーリング送信対象の画像データとして記憶部に記憶させるので、ポーリング送信対象の画像データにより記憶部が圧迫されることを抑制でき、ユーザの利便性を向上できるという第１の効果がある。また、指定を受け付けた相手先装置について、第２種エラー状態であることを示す状態情報が記憶されている場合、画像データの送信が実行されず、当該画像データはポーリング送信対象の画像データとして記憶部に記憶されるので、開始要求を送信したとしてもエラー状態である可能性が高い相手先装置に対して、適切に対応できるという効果がある。
【００１１】
請求項２記載のファクシミリ装置によれば、請求項１記載のファクシミリ装置の奏する効果に加え、相手先装置へポーリング送信対象の画像データを送信する場合には、当該相手先装置が第２種エラー状態であることを示す状態情報が状態記憶部から削除されるので、相手先装置の状態に応じて、状態情報を適切に更新できるという効果がある。
【００１２】
請求項３記載のファクシミリ装置によれば、請求項１または２に記載のファクシミリ装置の奏する効果に加え、相手先装置から第２種エラーを示すエラー識別情報を受信し、且つパスワードを受信した場合、当該パスワードとポーリング送信対象の画像データとを関連付けて記憶部に記憶させる。また、相手先指定手段により指定を受け付けた相手先装置について第２種エラー状態であることを示す状態情報が記憶されていると判断され、且つ、当該相手先装置から送られてきたパスワードに関連付けられたポーリング送信対象の画像データが記憶部に記憶されている場合には、画像データ取得手段により取得した画像データは当該パスワードに関連付けて、ポーリング送信対象の画像データとして記憶される。よって、相手先装置からポーリング送信要求を受信し、且つパスワードを受信した場合には、当該パスワードに関連付けられているポーリング送信対象の画像データをまとめて、相手先装置へ送信できるという効果がある。
【００１３】
請求項４記載のファクシミリ装置によれば、請求項１のファクシミリ装置が奏する第１の効果に加え、公衆回線網を介したファクシミリ通信により、相手先装置へポーリング送信対象の画像データが送信されるので、ＩＰネットワークを介したファクシミリ通信がポーリング送受信に対応していない場合であっても、相手先装置へ画像データを送信できるという効果がある。
【００１４】
請求項５記載のファクシミリ装置によれば、請求項１のファクシミリ装置が奏する第１の効果に加え、自装置において発生しているエラーが解除された場合、相手先装置へポーリング送信要求が送信されるので、適切なタイミングでポーリング送信要求を送信できるという効果がある。また、ファクシミリ通信の開始要求を受信した場合であって、自装置においてエラーが発生している場合には、当該ファクシミリ通信の開始要求に対応する画像データをポーリング受信するためのパスワードが生成され、ポーリング要求手段は、相手先装置へポーリング送信要求を送信し、且つ、相手先装置と対応付けてパスワード記憶部に記憶されているパスワードを送信するので、セキュリティを高めることができるという効果がある。
【００１５】
請求項６記載のファクシミリ装置によれば、請求項５に記載のファクシミリ装置の奏する効果に加え、相手先装置がポーリング送信機能を有さないと判断された場合であって、自装置において発生しているエラーが解除された場合には、当該エラーの解除を示すエラー解除画像データが相手先装置へ送信されるので、自装置におけるエラーの解除を相手先装置へ確実に通知できるという効果がある。
【００１６】
請求項７記載のファクシミリ装置によれば、請求項１のファクシミリ装置が奏する第１の効果に加え、自装置において発生しているエラーが解除された場合、相手先装置へポーリング送信要求が送信されるので、適切なタイミングでポーリング送信要求を送信できるという効果がある。また、公衆回線網を介したファクシミリ通信によりポーリング送信要求が送信されるので、ＩＰネットワークを介したファクシミリ通信がポーリング送受信に対応していない場合であっても、相手先装置から画像データを受信できるという効果がある。
【００１７】
請求項８記載のファクシミリ装置によれば、請求項１から７のいずれかに記載のファクシミリ装置の奏する効果に加え、相手先装置からポーリング送信要求を受信し、記憶部に記憶させたポーリング送信対象の画像データに関連付けられたパスワードを受信した場合に、当該パスワードに関連付けられたポーリング送信対象の画像データが相手先装置へ送信されるので、セキュリティを高めることができるという効果がある。
【００１８】
請求項９記載のファクシミリ装置によれば、請求項１から８のいずれかに記載のファクシミリ装置の奏する効果に加え、相手先装置がポーリング受信機能を有さないと判断される場合には、開始要求が相手先装置へ送信されるので、相手先装置がポーリング受信機能を有さない場合であっても、画像データを送信できるという効果がある。
【００１９】
請求項１０記載のファクシミリ装置によれば、請求項１のファクシミリ装置が奏する効果と同様の効果がある。
【００２０】
【図面の簡単な説明】
【００２１】
【図１】本発明のＦＡＸ装置の電気的構成を概略的に示すブロック図である。
【図２】（ａ）は、ポーリング管理テーブルの構成を示す模式図であり、（ｂ）は、再送信管理テーブルの構成を示す模式図である。
【図３】送信側のＦＡＸ装置と受信側の相手先装置との間において実行される通信を説明するシーケンス図である。
【図４】メイン処理を示すフローチャートである。
【図５】ポーリング送信処理を示すフローチャートである。
【図６】再送信処理を示すフローチャートである。
【図７】受信処理を示すフローチャートである。
【図８】エラー処理を示すフローチャートである。
【発明を実施するための形態】
【００２２】
以下、本発明の好ましい実施形態について、添付図面を参照して説明する。図１は、本発明の一実施形態であるＦＡＸ装置１の電気的構成を概略的に示すブロック図である。ＦＡＸ装置１は、受信側の装置でエラーが発生している場合であっても、そのエラーの種類に応じた制御をすることで、ユーザの利便性を向上させるように構成されている。以下、詳細を説明する。
【００２３】
ＦＡＸ装置１は、次世代ネットワーク３０（以下、ＮＧＮ網３０）を通じて、Ｔ．３８ベースのＦＡＸ通信（以下、Ｔ．３８ＦＡＸ通信）を行う。Ｔ．３８は、ファクシミリデータをＩＰプロトコルのメッセージに翻訳して通信する方法を規定した規格である。また、ＦＡＸ装置１は、交換機９０によって構成された公衆回線網４０（以下、ＰＳＴＮ４０）にも接続され、ＰＳＴＮ４０を通じた通常のＦＡＸ通信（以下、通常ＦＡＸ通信）も可能に構成されている。本実施形態において、相手先装置５０には、ＮＧＮ網３０またはＰＳＴＮ４０のうち少なくともいずれか一方を介してＦＡＸ装置１と通信可能な全ての装置が該当する。相手先装置５０は多数台存在するが、図１には１台のみ図示する。
【００２４】
ＦＡＸ装置１は、ＣＰＵ１１、ＲＯＭ１２、ＲＡＭ１３、フラッシュメモリ１４、スキャナ１５、プリンタ１６、操作キー１７、ＬＣＤ１８、ＰＳＴＮインターフェース（ＰＳＴＮＩ／Ｆ）１９、ネットワークインターフェース（ネットワークＩ／Ｆ）２０とを有する。これら各部は、バスライン１０により接続される。
【００２５】
ＣＰＵ１１は、ＲＯＭ１２等に記憶される固定値やプログラム等に従って、バスライン１０と接続された各部を制御する。ＲＯＭ１２は、書換不能な不揮発性のメモリであって、各種の固定値を記憶する。ＲＡＭ１３は、書換可能な揮発性のメモリである。
【００２６】
フラッシュメモリ１４には、画像メモリ１４ａと、ポーリング管理テーブル１４ｂと、再送信管理テーブル１４ｃとが設けられる。画像メモリ１４ａは、スキャナ１５により生成された画像データを記憶するためのメモリである。ポーリング管理テーブル１４ｂ、再送信管理テーブル１４ｃについては、図２を参照して後述する。
【００２７】
スキャナ１５は、原稿を読み取り、原稿に対応した画像データを生成する。プリンタ１６は、ＦＡＸ装置１で受信した画像データに対応した画像を記録用紙に印刷する。操作キー１７は、相手先装置５０を指定するためのＦＡＸ番号や指示をＦＡＸ装置１へ入力するためのキーである。ＬＣＤ１８は、操作手順や装置の状態などをユーザに知らせるための画面を表示する。ＰＳＴＮＩ／Ｆ１９は、ＦＡＸ装置１をＰＳＴＮ４０に接続するためのインターフェースであり、通常ＦＡＸ通信を制御する。ネットワークＩ／Ｆ２０は、ＦＡＸ装置１をＮＧＮ網３０に接続するためのインターフェースであり、Ｔ．３８通信を制御する。
【００２８】
ＳＩＰサーバ８０は、ＮＧＮ網３０を制御するサーバであり、ＦＡＸ装置１や相手先装置５０などのＩＰアドレス及びＳＩＰＵＲＩを対応付けて記憶する。ＦＡＸ装置１と相手先装置５０との間で送受信されるＳＩＰに従った手順に基づく各種の信号は、ＳＩＰサーバ８０を経由して送受信される。
【００２９】
図２（ａ）は、ポーリング管理テーブル１４ｂの構成を模式的に示す図である。ポーリング管理テーブル１４ｂは、ポーリング送信対象の画像データを管理するためのテーブルであり、画像パス２１と、宛先２２と、パスワード２３と、読取日時２４と、ステータス２５とが対応付けて記憶される。
【００３０】
画像パス２１は、画像メモリ１４ａに記憶された画像データの所在を示す情報であって、絶対パスで構成される。画像パス２１で特定される画像データを、以下、ポーリング送信対象の画像データとする。
【００３１】
宛先２２は、ポーリング送信対象の画像データを送信すべき相手先装置５０のＦＡＸ番号を示す。ＦＡＸ装置１が相手先装置５０に対してファクシミリ通信の開始要求を送信したが、当該相手先装置５０がビジー以外のエラー状態にある場合、ＦＡＸ装置１は当該相手先装置５０のＦＡＸ番号を、宛先２２としてポーリング管理テーブル１４ｂに記憶させる。
【００３２】
パスワード２３は、ビジー以外のエラー状態にある相手先装置５０からエラーコードと共に送られてくるパスワードである。相手先装置５０においてエラーが解除され、当該相手先装置５０からＦＡＸ装置１に対してポーリング送信要求とパスワードとが送られてきた場合、ＦＡＸ装置１は、ポーリング管理テーブル１４ｂを参照して、当該相手先装置５０のＦＡＸ番号とパスワードとの組み合わせに対応する画像パス２１を取得し、その画像パス２１に基づいてポーリング送信対象の画像データを特定して相手先装置５０へポーリング送信する。
【００３３】
読取日時２４は、画像パス２１で特定される画像データがスキャナ１５により生成された日時を示す。読取日時２４から所定時間以上経過した場合、当該読取日時２４に対応する画像パス２１の画像データは、画像メモリ１４ａから削除される。
【００３４】
ステータス２５は、相手先装置５０のエラーの種類を示す。本実施形態では、エラーの種類として、相手先装置５０がＦＡＸ受信中または通話中であるなどのビジー状態であることに基づくエラー（以下、ビジー）、相手先装置５０においてメモリフルであるために生じるエラー（以下、メモリフル）、それ以外の理由により生じるエラー（以下、その他）の３種類があるものとする。
【００３５】
図２（ｂ）は、再送信管理テーブル１４ｃの構成を模式的に示す図である。再送信管理テーブル１４ｃは、再送信対象の画像データを管理するためのテーブルであり、画像パス２６と、宛先２７と、送信エラー日時２８と、ステータス２９とが対応付けて記憶される。
【００３６】
画像パス２６は、画像メモリ１４ａに記憶された画像データのうち、再送信対象の画像データの所在を示す情報であって、絶対パスで構成される。再送信対象管理テーブル１４ｃに記憶された画像パス２６で特定される画像データを、以下、再送信対象の画像データと称する。ＦＡＸ装置１は、送信エラー日時２８から所定時間（例えば５分）後、再送信対象の画像データを、相手先装置５０へ再送信する。宛先２７は、再送信対象の画像データを送信すべき相手先装置５０のＦＡＸ番号を示す。送信エラー日時２８は、相手先装置５０がビジーであるために画像パス２８で特定される画像データを送信できなかった日時を示す。
【００３７】
ステータス２９は、相手先装置５０のエラーの種類を示す。ＦＡＸ装置１は、受信側の相手先装置５０がメモリフルまたはその他のエラー状態であるために画像データを送信できなかった場合、送信できなかった画像データを、ポーリング送信対象の画像データとして記憶する。一方、受信側の相手先装置５０がビジーであるために画像データを送信できなかった場合、または、相手先装置５０がポーリング受信機能を有しない場合、送信できなかった画像データを、再送信対象の画像データとして記憶する。
【００３８】
図３は、ＦＡＸ装置１と、相手先装置５０と、ＳＩＰサーバ８０との間の通信を示すシーケンス図である。ＦＡＸ装置１において、ユーザが、操作キー１７を操作してＦＡＸ番号を入力することにより、相手先装置５０を指定し、その後、操作キー１７のスタートキーを押下した場合、ＦＡＸ装置１は、自装置にセットされた原稿を読み取り、読み取られた原稿に対応した画像データを生成する。
【００３９】
次に、ＦＡＸ装置１は、フラッシュメモリ１４からＳＩＰサーバ８０のドメイン名を読み出し、指定された相手先装置５０のＦＡＸ番号と、読み出されたドメイン名とから、ＳＩＰＵＲＩを生成し、図３に示す通信を開始する。
【００４０】
具体的には、ＦＡＸ装置１は、通信開始シーケンス３１において、ＳＩＰＵＲＩを送信先とし、ＳＩＰサーバ８０を介して、INVITEを送信する。INVITEは、ＳＩＰによる通信を開始する際に送信され、コール（セッション）に招待するためのメッセージ（メソッド）である。一方、ＳＩＰサーバ８０を介してINVITEを受信した相手先装置５０は、180 Ringingと200 OKとをＦＡＸ装置１へ送信する。ＦＡＸ装置１は、相手先装置５０から、180
Ringing及び200 OKを受信した後、INVITEに対する応答を受け取ったことを通知するためのメッセージであるACKを、ＳＩＰサーバ８０を介して相手先装置５０へ送信する。このACKの送受信によって、ＦＡＸ装置１と相手先装置５０との間では、ＮＧＮ網３０を介した接続が確立される。
【００４１】
なお、図３では図示を省略するが、相手先装置５０がビジーである場合において、相手先装置５０がＳＩＰサーバ８０からINVITEを受信した場合、相手先装置５０は180 Ringinおよび200 OKを送信せず、代わりに、ビジーを示すエラーコードをＳＩＰサーバ８０を介してＦＡＸ装置１へ送信する。その場合、ＦＡＸ装置１と相手先装置５０との間は接続されない。ただし、図３に示す以下の説明では、相手先装置５０がビジーではなく、通信開始シーケンス３１によりＦＡＸ装置１と相手先装置５０とが接続された場合について説明する。
【００４２】
次に、状態確認シーケンス３２において、相手先装置５０が標準の受信機能を有することを示すDIS、および相手先装置５０が有する非標準の受信能力（例えば、ポーリング受信能力）を示すNSFが、相手先装置５０からＦＡＸ装置１へ送信される。ここで、相手先装置５０が、ＦＡＸ装置１と同一の受信処理（図７を参照して後述）を実行可能であり、且つ、相手先装置５０にメモリフルまたはその他のエラーが発生している場合、相手先装置５０は、エラーの種類を示すエラーコード、および、ポーリング受信のために生成したパスワードを、NSFに含めてＦＡＸ装置１へ送信する。一方、NSFを受信したＦＡＸ装置１は、相手先装置５０のＦＡＸ番号や受信したパスワードを、宛先２２やパスワード２３として画像パス２１に関連付け、ポーリング管理テーブル１４ｂ（図２（ａ））に記憶させる。なお、状態確認シーケンス３２においては、他にもDTC,DCSなど、Ｔ．３０フェーズＢにおいて通信される信号が交換されても良いが、ここでは図示および詳細な説明を省略する。
【００４３】
ＦＡＸ装置１は、エラーコードおよびパスワードを含むNSFを相手先装置５０から受信した場合、状態確認シーケンス３２から切断シーケンス３３に移行する。具体的には、ＦＡＸ装置１は、接続解除を通知するためのDCNを相手先装置５０へ送信する。このDCNの送受信によって、ＦＡＸ装置１と相手先装置５０との間における接続が切断される。続けて、ＦＡＸ装置１は、ＳＩＰサーバ８０を介して、BYEを相手先装置５０へ送信する。一方、相手先装置５０は、ＳＩＰサーバ８０を介して、200
OKをＦＡＸ装置１に送信する。
【００４４】
ここで、相手先装置５０が、ＦＡＸ装置１と同じ受信処理（図７）を実行可能に構成されている場合、相手先装置５０は、自装置において発生しているメモリフルまたはその他のエラーが解除されると、先に送信したエラーコードの送信先であるＦＡＸ装置１へ、ポーリング送信を要求する。すなわち、相手先装置５０からの発信に基づく通信開始シーケンス３１を開始する。
【００４５】
通信開始シーケンス３１により、接続が確立すると、次に、状態確認シーケンス３２において、被呼側のＦＡＸ装置１が標準の受信機能を有することを示すDISがＦＡＸ装置１から相手先装置５０へ送信される。また、ＦＡＸ装置１がポーリング送信能力を有することを示すNSFが、ＦＡＸ装置１から相手先装置５０へ送信される。
【００４６】
一方、相手先装置５０からＦＡＸ装置１に対しては、ポーリング送信の実行を要求するNSCを送信する。なお、相手先装置５０は、ポーリング受信のためのパスワードを、NSCに含めてＦＡＸ装置１へ送信する。
【００４７】
これに対し、被呼側のＦＡＸ装置１は、画像データの送信が可能か否かをチェックするためのTCFを送信する。そして、相手先装置５０から受信可能であることを示すCFRを受信した場合、ＦＡＸ装置１は、画像データをポーリング送信する送信シーケンス３４に移行する。
【００４８】
送信シーケンス３４では、ＦＡＸ装置１は、相手先装置５０から受信したパスワードに関連付けられたポーリング送信対象の画像データを相手先装置５０へ送信する。そして、画像データの送信後、ＦＡＸ装置１は、画像データの送信終了を示すEOPを相手先装置５０へ送信する。そして、EOPを受信した相手先装置５０がMCFで応答することにより、送信シーケンス３４が終了し、ＦＡＸ装置１は、切断シーケンス３３に移行する。
【００４９】
図４は、ＦＡＸ装置１において実行されるメイン処理を示すフローチャートである。この処理は、ユーザ指示に基づきＦＡＸ送信を実行する処理であり、ＦＡＸ装置１の起動中、繰り返し実行される。
【００５０】
まず、ステップＳ４０２（以下、ステップを省略）において、ＣＰＵ１１は、ＦＡＸ番号入力画面（図示せず）をＬＣＤ１８に表示させ、相手先装置の指定を受け付ける（Ｓ４０２）。ＦＡＸ番号入力画面においてＦＡＸ番号が入力されない場合（Ｓ４０４：Ｎｏ）、ＣＰＵ１１は次のステップに移行しない。
【００５１】
一方、ＦＡＸ番号入力画面においてＦＡＸ番号が入力された場合において（Ｓ４０４：Ｙｅｓ）、操作キー１７のうちスタートキーが押下されない場合（Ｓ４０６：Ｎｏ）、ＣＰＵ１１は次のステップに移行しない。
【００５２】
そして、スタートキーが押下されると（Ｓ４０６：Ｙｅｓ）、次にＣＰＵ１１は、指定された相手先装置５０のステータスが特定のステータスであるかを確認する。具体的には、特定のステータス、すなわち、指定された相手先装置５０がメモリフルまたはその他のエラー状態にあることを示すステータスが、ポーリング管理テーブル１４ｂまたは再送信管理テーブル１４ｃに記憶されているかを判断する（Ｓ４０８）。
【００５３】
相手先装置５０のステータスが記憶されていない、または、ビジーである場合（Ｓ４０８：Ｎｏ）、ＣＰＵ１１は、指定された相手先装置５０に対して通信開始を要求する（Ｓ４１０）。具体的には、ファクシミリ通信の開始を要求するINVITEを相手先装置５０へ送信して、通信開始シーケンス３１（図３）を実行する。相手先装置５０がビジー状態ではない場合（Ｓ４１２：Ｎｏ）、すなわち、相手先装置５０からＳＩＰサーバ８０を介して180 Ringingと200 OKとを受信した場合、通信開始シーケンス３１により、ＦＡＸ装置１と相手先装置５０との間が接続される。そして、状態確認シーケンス３２（図３）に移行する。
【００５４】
相手先装置５０からDISとNSFとを受信しない場合（Ｓ４１４：Ｎｏ）、ＣＰＵ１１は次のステップに移行しない。一方、相手先装置５０からDISとNSFとを受信した場合（Ｓ４１４：Ｙｅｓ）、ＣＰＵ１１は、セットされた原稿をスキャナ１５に読み取らせ画像データを生成させることにより、相手先装置５０に対して送信すべき画像データを取得する（Ｓ４１８）。なお、取得した画像データは、画像メモリ１４ａに記憶される。
【００５５】
相手先装置５０から受信したNSFにエラーコードが含まれていない場合（Ｓ４２０：Ｎｏ）、ＣＰＵ１１は、取得した画像データをＴ．３８ＦＡＸ通信で相手先装置５０へ送信し（Ｓ４２２）、図３を参照して説明した切断シーケンス３３を実行することにより通信を切断し（Ｓ４２４）、この処理を終了する。
【００５６】
一方、相手先装置５０から受信したNSFにエラーコードが含まれる場合（Ｓ４２０：Ｙｅｓ）、すなわち、相手先装置５０がメモリフルまたはその他のエラー状態にある場合、ＣＰＵ１１は、さらに、相手先装置５０から受信したNSFに、相手先装置５０がポーリング受信機能を有することを示す機能情報が含まれているか否かを判断する（Ｓ４２６）。
【００５７】
相手先装置５０がポーリング受信機能を有すると判断される場合（Ｓ４２６：Ｙｅｓ）、ＣＰＵ１１は、相手先装置５０へ送信すべき画像データをポーリング送信対象の画像データとして記憶させる（Ｓ４２８）。具体的には、ＣＰＵ１１は、Ｓ４１８で画像メモリ１４ａに記憶させた画像データの絶対パスを、ポーリング管理テーブル１４ｂ（図２（ａ））の画像パス２１とし、相手先装置５０のＦＡＸ番号を宛先２２とし、これらを対応付けて記憶させる。また、ＣＰＵ１１は、NSFに含まれるパスワードを、これらの画像パス２１および宛先２２に対応付けて、ポーリング管理テーブル１４ｂに記憶させる。このようにすれば、相手先装置５０へ送信すべきであった画像データと、相手先装置５０から受信したパスワードとを関連付けることができる（Ｓ４２９）。
【００５８】
次に、ＣＰＵ１１は、相手先装置５０が、メモリフル、または、その他のエラー状態であることを示すステータスを、ポーリング管理テーブル１４ｂに記憶させ（Ｓ４３０）、Ｓ４２４へ移行する。
【００５９】
一方、相手先装置５０がポーリング受信機能を有さない場合（Ｓ４２６：Ｎｏ）、ＣＰＵ１１は、相手先装置５０へ送信すべき画像データを再送信対象の画像データとして記憶させる（Ｓ４３２）。具体的には、Ｓ４１８で画像メモリ１４ａに記憶させた画像データの絶対パスを、再送信管理テーブル１４ｃ（図２（ｂ））の画像パス２６として記憶させ、相手先装置５０のＦＡＸ番号を宛先２７として、これらを対応付けて記憶させる。また、ＣＰＵ１１は、相手先装置５０がメモリフル、または、その他のエラー状態であることを示すステータスを、再送信管理テーブル１４ｃに記憶させ（Ｓ４３０）、通信を切断する（Ｓ４２４）。
【００６０】
次に、相手先装置５０がビジーであることに基づくエラーコードをＳＩＰサーバ８０から受信した場合について説明する。この場合（Ｓ４１２：Ｙｅｓ）、ＣＰＵ１１は、原稿をスキャナ１５に読み取らせ、画像データを取得する（Ｓ４３３）。そして、取得した画像データを画像メモリ１４ａに記憶させ、その絶対パスを、再送信管理テーブル１４ｃの画像パス２６として記憶させることにより、当該画像データを再送信対象の画像データとして記憶させる（Ｓ４３４）。また、ＣＰＵ１１は、相手先装置５０のＦＡＸ番号およびビジーであることを示すステータスを、再送信管理テーブル１４ｃに記憶させる（Ｓ４３６）。ただし、相手先装置５０がビジーである場合（Ｓ４１２：Ｙｅｓ）、ＦＡＸ装置１と相手先装置５０との間の接続は確立していないので、ＣＰＵ１１は、通信を切断するステップ（Ｓ４２４）を実行せず、この処理を終了する。
【００６１】
次に、指定された相手先装置５０が特定のステータス、すなわち、メモリフルまたはその他のエラー状態である場合について説明する。この場合（Ｓ４０８：Ｙｅｓ）、ＣＰＵ１１は、相手先装置５０がポーリング受信機能を有するか否かを判断する（Ｓ４３７）。ここで、前回以前の通信において、相手先装置５０がメモリフルまたはその他のエラー状態であり（Ｓ４２０：Ｙｅｓ）、且つ、ポーリング受信機能ありと判断された場合（Ｓ４２６：Ｙｅｓ）、当該相手先装置５０のステータスがポーリング管理テーブル１４ｂに記憶されている。よって、相手先装置５０のステータスがポーリング管理テーブル１４ｂに記憶されている場合には、ＣＰＵ１１は、相手先装置５０がポーリング受信機能を有すると判断する（Ｓ４３７：Ｙｅｓ）。そして、ＣＰＵ１１は、スキャナ１５による原稿の読み取りを実行し、その画像データを画像メモリ１４ａに記憶させるが（Ｓ４３８）、その画像データの送信をすぐには実行しない。代わりに、当該画像データをポーリング送信対象の画像データとして、その絶対パスをポーリング管理テーブル１４ｂに記憶させ、また、指定された相手先装置５０のＦＡＸ番号を対応付けて記憶させる（Ｓ４４０）。
【００６２】
次に、今回指定された相手先装置５０から過去に送られてきたパスワードが、ポーリング管理テーブル１４ｂに記憶されている場合、すなわち、同一の相手先装置５０へ送信すべきポーリング送信対象の画像データが画像メモリ１４ａに記憶されている場合、ＣＰＵ１１は、当該パスワードを、新たに取得した画像データに関連付ける。具体的には、ポーリング管理テーブル１４ｂに新たに記憶させた画像パス２１に対応付けて、同一の相手先装置５０から受信したパスワードを記憶させる（Ｓ４４２）。そして、ＣＰＵ１１は、この処理を終了する。なお、Ｓ４３７の判断において、相手先装置５０がポーリング受信機能を有さないと判断される場合（Ｓ４３７：Ｎｏ）、すなわち、前回以前の通信において、相手先装置５０がメモリフルまたはその他のエラー状態であったが（Ｓ４２０：Ｙｅｓ）、ポーリング受信機能なしと判断され（Ｓ４２６：Ｎｏ）、当該相手先装置５０のステータスが再送信管理テーブル１４ｃに記憶されている場合、ＣＰＵ１１はＳ４１０に移行して通信開始を要求し（Ｓ４１０）、画像データの送信を試みる。
【００６３】
メイン処理によれば、相手先装置５０がメモリフルまたはその他のエラー状態であることを示すエラーコードを受信した場合、相手先装置５０へ送信すべき画像データをポーリング送信対象の画像データとして記憶させることができる。よって、相手先装置５０がエラーである全ての場合において、送信できなかった画像データを一律にポーリング送信対象の画像データとする場合に比べ、ポーリング送信対象として記憶させる画像データを減らすことができる。その結果、ポーリング送信対象の画像データで画像メモリ１４ａが圧迫されることを抑制でき、ユーザの利便性を向上できる。
【００６４】
また、相手先装置５０がビジーであることに基づくエラーコードを受信する場合、相手先装置５０へ送信すべき画像データは、再送信対象の画像データとして記憶される。すなわち、相手先装置５０からの発信ではなく、ＦＡＸ装置１からの発信に基づき、送信すべき画像データとして記憶される。よって、相手先装置５０に課金される通信費の負担を抑制しつつ、画像データを送信できるので、相手先装置５０のユーザにとって利便性が高い。
【００６５】
また、相手先装置５０がポーリング受信機能を有さないと判断される場合、画像データは、再送信対象の画像データとして記憶される。よって、相手先装置５０がポーリング受信機能を有さない場合であっても、画像データを送信できる。
【００６６】
また、指定された相手先装置５０について、その相手先装置５０がメモリフルまたはその他のエラー状態であることを示すステータスが記憶されている場合、画像データの送信が実行されず、当該画像データはポーリング送信対象の画像データとして記憶されるので、通信開始要求を送信したとしてもエラーとなる可能性が高い相手先装置５０に対して、画像データの送信を待機でき、無駄な通信の実行を抑制できる。
【００６７】
図５は、ＦＡＸ装置１において実行されるポーリング送信処理を示すフローチャートである。この処理は、相手先装置５０からの要求に応じて、ポーリング送信対象の画像データを送信する処理であり、メイン処理とは独立して繰り返し実行される。
【００６８】
まず、Ｔ．３８ＦＡＸ通信でポーリング送信要求を受信した場合（Ｓ５０２：Ｙｅｓ）、具体的には、通信開始シーケンス３１（図３）により、相手先装置５０との間が接続され、相手先装置５０からポーリング送信の実行を要求するNSCを受信した場合、ＣＰＵ１１は、NSCに含まれるパスワードに関連付けられたポーリング送信対象の画像データを記憶しているか否かを判断する（Ｓ５０４）。
【００６９】
相手先装置５０からポーリング送信の実行を要求するNSCを受信し、且つ、NSCに含まれるパスワードに関連付けられたポーリング送信対象の画像データを記憶している場合（Ｓ５０４：Ｙｅｓ）、ＣＰＵ１１は、当該パスワードに関連付けられたポーリング送信対象の画像データを、Ｔ．３８ＦＡＸ通信で相手先装置５０へ送信する（Ｓ５０６）。
【００７０】
なお、メイン処理（図４）では、メモリフルまたはその他のエラー状態にある相手先装置５０が指定された場合、当該相手先装置５０に対する画像データの送信を実行しない。そして、同一の相手先装置５０へ送信すべきポーリング送信対象の画像データに関連付けられているパスワードを、新たに取得したパスワードにも関連付ける。よって、相手先装置５０から受信したパスワードに関連付けられているポーリング送信対象の画像データとしては、相手先装置５０のエラーにより送信できなかった画像データに加えて、その後に同一の相手先装置５０が指定されて送信が待機された画像データが存在している場合がある。Ｓ５０６においては、同一のパスワードに関連付けられているこれらの画像データが、まとめて相手先装置５０へ送信される。
【００７１】
次に、ＣＰＵ１１は、ポーリング送信した画像データを画像メモリ１４ａから削除し（Ｓ５０８）、ポーリング送信管理テーブル１４ｂ内の当該画像データに対応する画像パス２１、宛先２２、パスワード２３、読取日時２４、ステータス２５を削除し（Ｓ５１０）、この処理を終了する。このようにすれば、ポーリング管理テーブル１４ｂに記憶させたステータスを、相手先装置５０のエラー解除に基づき、適切に更新できる。
【００７２】
ここで、ＮＧＮ網３０を介した通信で利用可能な機能は国毎に異なる。よって、例えばある国では、ＮＧＮ網３０を介したポーリング送受信が利用可能であり、別の国では、ＮＧＮ網３０を介したポーリング送受信が不可能な場合があり得る。よって、Ｔ．３８ＦＡＸ通信ではなく（Ｓ５０２：Ｎｏ）、通常ＦＡＸ通信でポーリング送信要求を受信した場合（Ｓ５１２：Ｙｅｓ）、ＣＰＵ１１は、通常ＦＡＸ通信により、相手先装置５０へポーリング送信対象の画像データを送信し（Ｓ５０６）、Ｓ５０８に移行する。なお、通常ＦＡＸ通信でポーリング送信要求を受信した場合（Ｓ５１２：Ｙｅｓ）と、Ｔ．３８ＦＡＸ通信でポーリング送信要求を受信した場合（Ｓ５０２：Ｙｅｓ）とは、経由する網、および通信の規格が異なるが、Ｓ５０４〜Ｓ５１０の判断、および処理すべきデータは、Ｔ．３８ＦＡＸ通信でポーリング送信要求を受信した場合と同様であるため、図５においてはまとめて図示し、詳細な説明を省略する。このようにすれば、ＦＡＸ装置１の設置国のＮＧＮ網３０がポーリング送受信機能に対応しているか否かに関わらず、相手先装置５０に画像データをポーリング送信できる。
【００７３】
なお、相手先装置５０からポーリング送信要求を受信したが、当該相手先装置５０から受信したパスワードに関連付けられたポーリング対象の画像データが記憶されていない場合（Ｓ５０４：Ｎｏ）、ＣＰＵ１１は、画像データの送信を実行することなく、この処理を終了する。よって、ポーリング送信のセキュリティを高めることができる。
【００７４】
また、ポーリング送信要求を受信しない場合（Ｓ５１２：Ｎｏ）、ＣＰＵ１１は、ポーリング送信対象の画像データのうち、読取日時から所定期間（例えば、３日）以上経過した画像データが存在するか否かを判断する（Ｓ５１４）。該当する画像データが存在しない場合（Ｓ５１４：Ｎｏ）、ＣＰＵ１１は、この処理を終了する。一方、該当する画像データが存在する場合（Ｓ５１４：Ｙｅｓ）、ＣＰＵ１１は、当該画像データを画像メモリ１４ａから削除する（Ｓ５１６）。また、ＣＰＵ１１は、ポーリング送信管理テーブル１４ｂ内の当該画像データに対応する画像パス２１、宛先２２、パスワード２３、読取日時２４、ステータス２５を削除し（Ｓ５１８）、この処理を終了する。このようにすれば、ポーリング送信対象の画像データで画像メモリ１４ａが圧迫されることを抑制できる。
【００７５】
図６は、ＦＡＸ装置１において実行される再送信処理を示すフローチャートである。この処理は、再送信対象の画像データを送信する処理であり、メイン処理とは独立して繰り返し実行される。再送信対象の画像データのうち、送信エラー日時から所定時間（例えば５分）以上経過している画像データが存在する場合（Ｓ６０２：Ｙｅｓ）、ＣＰＵ１１は、当該画像データに対応付けて再送信管理テーブル１４ｃ（図２（ｂ））に記憶されている相手先装置５０のＦＡＸ番号に基づき、当該相手先装置５０にINVITEを送信し、通信開始を再度要求する（Ｓ６０４）。
【００７６】
この開始要求に基づいて相手先装置５０との間でＴ．３８ＦＡＸ通信を開始した場合、ＣＰＵ１１は、相手先装置５０へ再送信対象の画像データを送信する（Ｓ６０６）。そして、ＣＰＵ１１は、再送信した画像データを画像メモリ１４ａから削除し（Ｓ６０８）、且つ、再送信管理テーブル１４ｃ内の当該画像データに対応する画像パス２６，宛先２７，送信エラー日時２８，ステータス２９を削除し（Ｓ６１０）、この処理を終了する。なお、送信エラー日時から所定時間以上経過している画像データが存在しない場合（Ｓ６０２：Ｎｏ）、ＣＰＵ１１はこの処理を終了する。
【００７７】
また、図示および詳細な説明は省略するが、Ｓ６０４において通信開始を要求しても相手先装置５０においてビジー状態が続いているために通信を開始できない場合には、通信開始を要求する処理（Ｓ６０４）を所定回数（例えば５回）実行しても良い。そして、所定回数実行しても通信を開始できない場合には、当該再送信対象の画像データを削除し、Ｓ６１０の処理に移行するようにしても良い。
【００７８】
本実施形態によれば、相手先装置５０がポーリング受信機能を有さないと判断される場合、または、相手先装置５０がビジーであるために画像データを送信できなかった場合、所定時間後に当該相手先装置５０へ再度、通信の開始を要求し、画像データを送信できる。特に相手先装置５０がビジーである場合に画像データが送信できなかった場合、ビジーに基づくエラーは比較的早期に解消される可能性が高い。よって、比較的短時間で、当該画像データの再送信を試み、送信できた場合には当該画像データを画像メモリ１４ａから削除することで、画像メモリ１４ａがメモリフルとなることを抑制できる。
【００７９】
図７は、ＦＡＸ装置１において実行される受信処理を示すフローチャートである。この処理は、メイン処理とは独立に、繰り返し実行される。まず、ＣＰＵ１１は通信開始要求を受信しない間（Ｓ７０２：Ｎｏ）、次のステップに移行しない。一方、ＳＩＰサーバ８０を介して相手先装置５０から送られてきた通信開始要求（INVITE）をネットワークＩ／Ｆ２０により受信した場合であって（Ｓ７０２：Ｙｅｓ）、且つ、自装置がビジーである場合（Ｓ７０４：Ｙｅｓ）、すなわち、別の相手先装置５０と通信中である場合、ＣＰＵ１１は、ビジーに基づくエラーを示すエラーコードをＳＩＰサーバ８０へ送信し（Ｓ７０６）、この処理を終了する。なお、ＳＩＰサーバ８０は、発信元の相手先装置５０へエラーコードを送信する。
【００８０】
一方、自装置がビジーではない場合（Ｓ７０４：Ｎｏ）、ＣＰＵ１１は、180 Ringing、200 OKを発信元の相手先装置５０へ送信することにより、通信開始要求に応答する（Ｓ７０８）。この応答の具体的内容については、通信開始シーケンス３１（図３）として説明済みであるため、詳細な説明を省略する。
【００８１】
次に、自装置がメモリフルまたは自装置にその他のエラーが発生している場合（Ｓ７１０：Ｙｅｓ）、ＣＰＵ１１は、通信開始要求に対応する画像データをポーリング受信するためのパスワードを生成し（Ｓ７１２）、相手先装置５０のＦＡＸ番号と対応付けてフラッシュメモリ１４に記憶させる（Ｓ７１４）。
【００８２】
そして、ＣＰＵ１１は、自装置において発生中のエラーの種類を示すエラーコードとパスワードとを、NSFに含め、DISとNSFとを相手先装置５０へ送信する（Ｓ７１６）。エラーコードを送信したことに基づき、相手先装置５０がDCNを送出し、これにより相手先装置５０とＦＡＸ装置１との間の通信が切断される（Ｓ７１８）。次に、ＣＰＵ１１はフラッシュメモリ１４に記憶されたエラーフラグ（図示せず）をオンに設定し（Ｓ７２０）、この処理を終了する。
【００８３】
なお、ＦＡＸ装置１において、いかなるエラーも発生していない場合（Ｓ７１０：Ｎｏ）、ＣＰＵ１１は相手先装置５０から送られてくる画像データをＴ．３８ＦＡＸ通信で受信する通常受信処理（Ｓ７２２）を実行し、この処理を終了する。
【００８４】
図８は、ＦＡＸ装置１において実行されるエラー処理を示すフローチャートである。この処理は、メイン処理や受信処理とは独立に、繰り返し実行される。まず、ＣＰＵ１１は、エラーフラグがオンか否かを判断する（Ｓ８０２）。エラーフラグがオフの場合（Ｓ８０２：Ｎｏ）、この処理を終了する。一方、エラーフラグがオンの場合（Ｓ８０２：Ｙｅｓ）、ＣＰＵ１１は、ＬＣＤ１８にエラーを表示する（Ｓ８０４）。これにより、ユーザが、ＦＡＸ装置１のエラーに気づき、例えば、不要なデータを削除するなど、エラー解除のための処置をとることができる。
【００８５】
そして、エラーが解除されない間（Ｓ８０６：Ｎｏ）、ＣＰＵ１１はエラー表示を継続する。一方、例えば、自装置において発生しているメモリフルに基づくエラーまたはその他のエラーが解除された場合（Ｓ８０６：Ｙｅｓ）、ＣＰＵ１１は、ＮＧＮ網３０を介した通信でポーリング送受信を利用可能か否かを判断する（Ｓ８０８）。具体的には、ＭＦＰ１のメーカは、どの国に出荷するＭＦＰであるかに応じて、ＭＦＰに搭載する機能を変えている。例えば、ＮＧＮ網３０がポーリング送受信に対応している国に出荷するＭＦＰ１については、ＮＧＮ網３０経由のポーリング送受信機能を出荷時から搭載する。一方、ＮＧＮ網３０がポーリング送受信に対応していない国に出荷するＭＦＰ１については、ＮＧＮ網３０経由のポーリング送受信機能を搭載しない。さらに、このような機能の有無に関する情報を搭載機能情報として、例えばＲＯＭ１２に予め記憶させておく。よって、Ｓ８０８の判断では、自装置のＲＯＭ１２に記憶された搭載機能情報に基づき、ＮＧＮ網３０を介した通信でポーリング送受信を利用可能な否かを判断する。例えば、自装置の搭載機能情報が、ＮＧＮ網３０経由のポーリング送受信機能を搭載しないのであれば、Ｓ８０８の判断を否定する。
【００８６】
ＮＧＮ網３０を介したポーリング送受信が可能な場合（Ｓ８０８：Ｙｅｓ）、ＣＰＵ１１は、ＳＩＰサーバ８０へINVITEを送信することにより、相手先装置５０に対して通信開始を要求する（Ｓ８１２）。具体的には、パスワードと対応付けて記憶している相手先装置５０（すなわち、エラーコード送信先の相手先装置５０）のＦＡＸ番号をフラッシュメモリ１４から読み出し、これを相手先装置５０として指定して通信開始を要求する。
【００８７】
次に、DIS，NSFを受信しない間（Ｓ８１４：Ｎｏ）、ＣＰＵ１１は次のステップに移行しない。一方、相手先装置５０からDIS，NSFを受信した場合（Ｓ８１４：Ｙｅｓ）、相手先装置５０がポーリング送信機能を有するか否かを、NSFに基づいて判断する（Ｓ８１６）。
【００８８】
相手先装置５０がポーリング送信機能を有する場合（Ｓ８１６：Ｙｅｓ）、ＣＰＵ１１は、相手先装置５０のＦＡＸ番号に対応付けてフラッシュメモリ１４に記憶されているパスワードを、NSCに含めて相手先装置５０へ送信することにより、ポーリング送信要求を送信する（Ｓ８２０）。そして、そのポーリング送信要求に応答して、相手先装置５０から送られてくる画像データが、ＦＡＸ装置１において受信されると（Ｓ８２２）、ＣＰＵ１１は通信を切断し（Ｓ８２４）、エラーフラグをオフにして（Ｓ８２６）、この処理を終了する。
【００８９】
一方、相手先装置５０がポーリング送信機能を有さない場合（Ｓ８１６：Ｎｏ）、ＣＰＵ１１は、エラーの解除を示すエラー解除画像データを、相手先装置５０へ送信し（Ｓ８１８）、Ｓ８２４へ移行する。なお、エラー解除画像データは、フラッシュメモリ１４に予め記憶されているものとする。エラー解除画像データを送信することにより、そのエラー解除画像データが相手先装置５０において出力されるので、自装置におけるエラーの解除を相手先装置５０へ確実に通知できる。その結果、相手先装置５０のユーザにエラーの解除を認識させ、例えば、エラーで送信できなかった画像データを再送信するなど、適切な対応を取ってもらうことができる。
【００９０】
なお、ＮＧＮ網３０を介したポーリング送受信が不可能な場合（Ｓ８０８：Ｎｏ）、ＣＰＵ１１は、Ｔ．３８ＦＡＸ通信制御から通常ＦＡＸ通信制御へ切替え（Ｓ８１０）、交換機９０に対して通信開始を要求し（Ｓ８１２）、ＰＳＴＮ４０を介した通常ＦＡＸ通信によりポーリング送信要求を送信する。なお、通常ＦＡＸ通信制御へ切替えた場合、Ｔ．３８ＦＡＸ通信制御とは、経由する網、および通信の規格が異なるが、Ｓ８１４以降の処理における判断、および送受信すべきデータは、Ｔ．３８ＦＡＸ通信制御の場合と同様であるため、図８においてはまとめて図示し、詳細な説明を省略する。
【００９１】
本実施形態のエラー処理によれば、ＮＧＮ網３０がポーリング送受信に対応していない場合であっても、ＰＳＴＮ４０を介して画像データをポーリング受信できる。また、自装置において発生しているエラーが解除された場合に、相手先装置５０へポーリング送信要求が送信されるので、適切なタイミングでポーリング送信要求を送信できる。
【００９２】
また、エラーコードの送信先の相手先装置５０へ送信したパスワードをフラッシュメモリ１４に記憶させておき、エラーが解除された場合には、そのパスワードを相手先装置５０へ送信してポーリング受信を行うので、セキュリティを高めることができる。また、ユーザにパスワードの手入力を要求しないので、ユーザにとって利便性が良い。
【００９３】
上記実施形態において、INVITEがファクシミリ通信の開始要求の一例である。ビジーが第１種エラーの一例である。メモリフルおよびその他のエラーが第２種エラーの一例である。エラーコードがエラー識別情報の一例である。NSFが機能情報および能力情報の一例である。ステータスが状態情報の一例である。フラッシュメモリ１４が記憶部、状態記憶部、パスワード記憶部の一例である。ＮＧＮ網３０がＩＰネットワークの一例である。ネットワークＩ／Ｆ２０が第１通信制御手段、要求受信手段の一例である。ＰＳＴＮＩ／Ｆ１９が第２通信制御手段の一例である。
【００９４】
Ｓ４１０を実行するＣＰＵ１１が要求手段の一例である。Ｓ６０４を実行するＣＰＵ１１が再要求手段の一例である。Ｓ６０６を実行するＣＰＵ１１が第１送信手段の一例である。Ｓ４２８を実行するＣＰＵ１１が第１記憶制御手段の一例である。Ｓ５０６を実行するＣＰＵ１１が第２送信手段の一例である。Ｓ４２６を実行するＣＰＵ１１が機能判断手段の一例である。Ｓ４３０を実行するＣＰＵ１１が状態情報記憶手段の一例である。Ｓ４０２を実行するＣＰＵ１１が相手先指定手段の一例である。Ｓ４１８，Ｓ４３３，Ｓ４３８を実行するＣＰＵ１１が画像データ取得手段の一例である。Ｓ４０８を実行するＣＰＵ１１が状態判断手段の一例である。Ｓ５１０を実行するＣＰＵ１１が状態情報削除手段の一例である。
【００９５】
Ｓ７１６を実行するＣＰＵ１１がエラー送信手段、パスワード送信手段の一例である。Ｓ８２０を実行するＣＰＵ１１がポーリング要求手段の一例である。Ｓ８２２を実行するＣＰＵ１１がポーリング受信手段の一例である。Ｓ７１２を実行するＣＰＵ１１が生成手段の一例である。Ｓ７１４を実行するＣＰＵ１１がパスワード記憶手段の一例である。Ｓ８１６を実行するＣＰＵ１１が能力判断手段の一例である。Ｓ８１８を実行するＣＰＵ１１がエラー解除通知手段の一例である。Ｓ７１８を実行するＣＰＵ１１が切断手段の一例である。
【００９６】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００９７】
例えば、再送信処理（図６）において、相手先装置５０に対して通信の開始要求を送信した場合において（Ｓ６０４）、相手先装置５０がエラーであった場合、当該相手先装置５０について送信エラー日時のみを更新するように、上記実施形態を変形しても良い。
【００９８】
また、受信処理（図７）において、ファクシミリ通信の開始要求を受信した場合であって（７０２：Ｙｅｓ）、自装置がメモリフルまたはその他のエラーであった場合（Ｓ７１０：Ｙｅｓ）、ＦＡＸ装置１は、エラーコードおよびパスワードをNSFに含めて送信した（Ｓ７１６）。これに代えて、通信開始要求に応答して送信する180
Ringingまたは200 OKに、エラーコードおよびパスワードを含めて送信するよう上記実施形態を変形しても良い。一方、発信元の装置においては、エラーコードを含む180 Ringingまたは200 OKを受信した場合、受信したエラーコードおよびパスワードを記憶し、その後、DISやNSFの受信を待つことなく、通信を切断しても良い。
【００９９】
また、エラー処理（図８）において、ＦＡＸ装置１は、ポーリング送信要求を相手先装置５０へ送信した後（Ｓ８１２）、当該相手先装置５０から送られてくるNSFに基づいて、相手先装置５０がポーリング送信機能をもっているか否かを判断した（Ｓ８１６）。これに代えて、受信処理（図７）において、ＦＡＸ装置１と相手先装置５０とが接続された場合に（Ｓ７０８）、相手先装置５０からＦＡＸ装置１へNSC（図示せず）などの能力情報が送られてくる場合には、その能力情報に基づいて、当該相手先装置５０がポーリング送信機能を有しているか否かを判断しても良い。その場合、その判断結果を記憶しておき、エラー処理（図８）においては、記憶しておいた判断結果に基づき、相手先装置５０に対して、ポーリング送信要求を送信するか、エラー解除画像データを送信するかを振り分けても良い。
【０１００】
また、上記実施形態のエラー処理（図８）では、１台の相手先装置５０に対して、ポーリング送信要求またはエラー解除画像データを送信するものとして説明した。しかしながら、ＦＡＸ装置１がメモリフルまたはその他のエラー中に、複数台の相手先装置５０に対してエラーコードを送信していた場合には、各相手先装置５０に対してポーリング送信要求またはエラー解除画像データのいずれかを送信するように、エラー処理（図８）を変形しても良い。
【０１０１】
また、上記実施形態のＦＡＸ装置１は、ＮＧＮ網３０を介したＦＡＸ通信およびＰＳＴＮ４０を介したＦＡＸ通信の両方が可能であったが、いずれか一方のみ可能な装置についても、本発明を適用可能である。
【０１０２】
また、上記実施形態のメイン処理（図４）では、相手先装置５０から受信したNSFにエラーコードが含まれる場合（Ｓ４２０：Ｙｅｓ）、すなわち、相手先装置５０がメモリフルまたはその他のエラー状態にある場合、さらに、相手先装置５０から受信したNSFに、相手先装置５０がポーリング受信機能を有することを示す機能情報が含まれているか否かを判断していた（Ｓ４２６）。しかしながら、Ｓ４２０の判断が肯定される場合（Ｓ４２０：Ｙｅｓ）、Ｓ４２６の判断を行わず、ポーリング送信対象の画像データとして記憶させるステップ（Ｓ４２８）に移行するように、上記実施形態のメイン処理を変形しても良い。この場合、上記実施形態のメイン処理におけるＳ４３７の判断を省くことができる。
【０１０３】
また、上記実施形態のメイン処理（図４）では、相手先装置５０のステータスが特定のステータスであると判断される場合（Ｓ４０８：Ｙｅｓ）、次に、相手先装置５０がポーリング受信機能を有するか否かが判断されていた（Ｓ４３７）。これに代えて、Ｓ４０８の判断が肯定される場合（Ｓ４０８：Ｙｅｓ）、原稿を読み取り（Ｓ４３８）、その次に、相手先装置５０がポーリング受信機能を有するか否かを判断しても良い。そして、この判断により、相手先装置５０がポーリング受信機能を有すると判断される場合には、Ｓ４４０以降の処理を実行し、ポーリング受信機能を有しないと判断される場合には、Ｓ４３２と同様に、読み取った画像データを再送信対象の画像データとして記憶する処理を行って終了しても良い。
【符号の説明】
【０１０４】
１              ＦＡＸ装置
１４            フラッシュメモリ
１４ｂ          ポーリング管理テーブル
１９            ＰＳＴＮＩ／Ｆ
２０            ネットワークＩ／Ｆ
３０            ＮＧＮ網
４０            ＰＳＴＮ
５０            相手先装置
【図１】
0005782903.tif 000002
【図２】
0005782903.tif 000003
【図３】
0005782903.tif 000004
【図４】
0005782903.tif 000005
【図５】
0005782903.tif 000006
【図６】
0005782903.tif 000007
【図７】
0005782903.tif 000008
【図８】
0005782903.tif 000009